(57)【要約】【課題】バックライト用蛍光ランプの配線作業を簡素化したり、装置の小型化を計る事を目的とする。【解決手段】ランプ室２２と、このランプ室内に並列配置した複数の直管状の蛍光ランプ２４と、ランプ室の背面に配置された反射板２３と、この反射板上で蛍光ランプ間に各々設けられた断面が略三角形状で複数の樹脂製反射材２６，２６ａとを備えたものにおいて、これら反射材の内部を中空状に構成して配線溝３１を一体形成し、この中空溝に蛍光ランプのリード線３０を配線した事を特徴とするものである。【選択図】　　図２
2004039533.tif 000002
【特許請求の範囲】
【請求項１】
ランプ室と、このランプ室内に並列配置した複数の直管状の蛍光ランプと、上記ランプ室の背面に配置された反射板と、この反射板上で上記蛍光ランプ間に各々設けられた断面が略三角形状で複数の樹脂製反射材とを備えたものにおいて、これら反射材の内部を中空状に構成して配線溝を一体形成し、この中空溝に上記蛍光ランプのリード線を配線した事を特徴とするバックライト装置。
【請求項２】
上記配線溝に配線するリード線をグランド側とし、かつ上記反射材の１本間隔に隣接して配置された蛍光ランプのリード線を配線した事を特徴とする、上記請求項１に記載のバックライト装置。
【請求項３】
上記反射材の略中心部に固定用のネジを螺入するネジ孔を形成した仕切壁を一体に突出形成して、上記配線溝を左右に２分割し、これらの配線溝に上記リード線を１本づつ配線した事を特徴とする、上記請求項２に記載のバックライト装置。
【発明の詳細な説明】
【０００１】
【発明の属する技術分野】
本発明は、主に液晶表示装置に内蔵された液晶表示パネルを後方から照明するバックライト装置に関するものである。
【０００２】
【従来の技術】
液晶パネルの背面に複数の照明用ランプを配置した所謂直下型のバックライト装置においては、例えば特開２００１−１３８８１号公報等に示される様に、バックライト用の蛍光ランプに電力を供給するハーネスの長さによるランプの点灯不良や輝度むらの発生等を防止すべく、上記各ランプに各々ハーネスを接続して反射板の裏側に配線したものがある。この場合、反射板に嵌合孔１１を設け、この嵌合孔を通してハーネスを反射板の裏側に配線する必要がある為、ハーネスを嵌合孔に通した後にコネクタを接続する必要があり、蛍光ランプの両端にハーネスを直結する場合には、ランプとコネクタを接続したハーネスとをセット部品として供給することが難しく、作業性が悪くなるという問題がある。
【０００３】
又、上記従来の構成では、反射板４の裏側に配線用のスペースを確保する必要があり、装置の奥行き寸法の大型化を招くという問題がある。
【０００４】
【発明が解決しようとする課題】
そこで本発明は、蛍光ランプに電力を供給するリード線の配線時の作業性を向上したり、装置の小型化を計る事を目的とするものである。
【０００５】
【課題を解決するための手段】
本発明は、ランプ室と、このランプ室内に並列配置した複数の直管状の蛍光ランプと、ランプ室の背面に配置された反射板と、この反射板上で蛍光ランプ間に各々設けられた断面が略三角形状で複数の樹脂製反射材とを備えたものにおいて、これら反射材の内部を中空状に構成して配線溝を一体形成し、この配線溝に蛍光ランプのリード線を配線して成るものである。
【０００６】
又本発明は、配線溝に配線するリード線をグランド側とし、かつ反射材の１本間隔に隣接して配置された蛍光ランプのリード線を配線して成るものである。
【０００７】
更に本発明は、反射材の略中心部に固定用のネジを螺入するネジ孔を形成した仕切壁を一体に突出形成して配線溝を左右に２分割し、これらの配線溝にリード線を１本づつ配線して成るものである。
【０００８】
【発明の実施の形態】
本発明の実施例を先ず図１に基づき説明すると、１は例えば１５インチ以上の比較的大型で横長の液晶表示装置で、バックライト装置２の前面に、大画面に適したＳＴＮ液晶パネルやＴＦＴ液晶パネルにて構成した液晶表示器３を連結して構成している。
【０００９】
一方、上記バックライト装置２は、図２及び図３にても示す様に、前面を開口した有底箱状の底ケース４の開口部５に、板厚が２〜３ｍｍ程度でアクリルやポリカーボネート等の透光性樹脂からなる光拡散板６を配置していると共に、この光拡散板の前面に集光性シート７・・等を積層したシート類を配置して構成している。
【００１０】
尚、図２は上記バックライト装置２と液晶表示器３を組み合わせた状態のＡ−Ａ断面図で、図３は同じくＢ−Ｂ断面図である。
【００１１】
又、上記底ケース４開口部５の長辺側開口縁には、上記図２にても示す様に該部を外側に向けて折曲して鍔部８を一体形成し、この鍔部に上記光拡散板６等の外周縁を載置していると共に、上記鍔部８に板金を略Ｌ字状に折曲成形した長辺側センターシャーシ９をネジ１０留めし、このセンターシャーシの上片９ａと上記鍔部８により、上記光拡散板６やシート類を固定している。
【００１２】
一方、上記底ケース４の短辺側の両端部には、上記図３にても示す様にコーナー部にて上記長辺側センターシャーシ９と連結されて額縁状のセンターシャーシを構成する板金を略Ｌ字状に折曲成形した短辺側センターシャーシ１１をネジ１２・・にて上記底ケース４に固定していると共に、この短辺側センターシャーシの内側に樹脂製のランプ支持枠１３とシート支持枠１４を積み重ねて配設し、上記ランプ支持枠１３はネジ１５にて底ケース４に固定し、シート支持枠１４はネジ１６にて短辺側センターシャーシ１１に固定している。
【００１３】
更に上記液晶表示器３は、２枚の透明電極付きガラス基板１７，１７の間に液晶を封入し、かつこれらガラス基板の前後に偏向板や位相差板等の光学シート１８，１８を配置して構成した液晶パネル１９を、上記長辺側センターシャーシ９と短辺側センターシャーシ１１の各上片９ａ，１１ａの前面に載置し、そして、断面略Ｌ字状で金属性薄板の成形品から成る外枠２０・・を上記各センターシャーシ９，１１にネジ２１・・止めすることで、センターシャーシ９，１１の上片９ａ，１１ａと外枠２０・・の前辺２０ａ・・との間に液晶パネル１９を固定して構成している。
【００１４】
又、上記底ケース４の内部にはランプ室２２を区画形成していると共に、底ケース４の内面には、内表面を光反射率の高い白色系に着色した反射板２３を配置し、かつ上記ランプ室２２内部には、冷陰極蛍光管から成る複数の蛍光ランプ２４・・を横並びにて、所謂直下型に収納配置している。
【００１５】
２５，２５は上記反射板２３の底面上に配設し、ポリカーボネート等の樹脂材にて一体成形したリフレクタで、図４にても示す様に、上記蛍光ランプ２４・・間の背面に断面が略三角形状の反射材２６・・が位置する様、これら反射材をランナー２７・・にて一体に連結状態にて成形している。又上記リフレクタ２５，２５は、反射材２６・・の適所に一体成形したネジ孔２８・・に底ケース４の背面よりネジ２９・・を螺入することで、反射板２３を挟んで底ケース４に固定している。
【００１６】
尚、上記リフレクタ２５，２５は、全体を高反射グレードの材料にて成形したり、蛍光ランプ２４・・に対向する反射面を反射効率の高い白色系に着色し、蛍光ランプ２４・・から放射された光を光拡散板６に向けて反射する様に構成している。
【００１７】
又、上記実施例では反射材２６・・をランナー２７・・にて連結してリフレクタ２５，２５を構成しているが、これに限定されることなく、反射材２６を蛍光ランプ２４・・と略同じ長さに複数本形成し、その裏面にてネジや接着材、粘着テープ等で反射板２３に固定しても良い。
【００１８】
一方、上記反射材２６・・の内部は中空状に形成して隣接する蛍光ランプ２４・・のグランド側のリード線３０・・を、１本間隔で反射材２６・・に２本づつ配線する配線溝３１・・を一体に形成して、上記蛍光ランプ２４・・の各リード線の長さが、極力短くかつ略同じになる様に構成し、これにより、高周波ノイズの影響による点灯不良や輝度むらの発生を防止したり、回路インピーダンスを略同じに設定して、蛍光ランプ２４・・に電力を供給するインバータ回路等が安定して動作を行う様に構成している。
【００１９】
又、上記蛍光ランプ２４・・のグランド側リード線３０・・及び給電側リード線３２・・は、図３及び図５にても示す様に、例えば上記ランプ支持台１３の底部に形成した配線溝３３より引き出した後、図１中に示す短辺側センターシャーシ１１の間隙３４を通し、底ケース４に形成した切欠溝３５・・より取り出し、上記リード線３０，３２の先端に接続したコネクタ３６・・を図示しないインバータ回路（例えば周波数が５０ｋＨｚ、電圧が１２００Ｖの高周波電力を供給）の回路基板に接続する。
【００２０】
尚、上記実施例ではグランド側のリード線３０・・を１本の反射材２６・・に２本毎配線し、これにより上記図４にて示す様に、配線を行う反射材２６ａにネジ孔２８・・を形成し、この部分でリード線３０・・を分離して配線するセパレータとして機能させる場合、配線を行わない反射材２６・・の内部を中空構成とすれば、リフレクタ２５，２５の軽量化や、材料の削減によるコストダウンを計る事が出来るが、１本の反射材に１本のリード線を配線しても良い。又、リード線３０，３１の配線経路は上記実施例に限定されるものではなく、例えばランプ支持台１３とシート支持台１４の接合部に配線溝を形成して該部から引き出しても良く、底ケース４に形成した切欠溝３４・・においても、底ケースの背面部に引き出し孔を穿孔しても良い。
【００２１】
更に、上記実施例ではグランド側のリード線３０・・を反射材２６・・に配線することで、給電側リード線３２・・の配線長さを極力短くし、漏れ電流の発生による輝度の低下を防止したり、反射板４の周囲や裏側に配線用のスペースを確保する必要がなく、液晶パネル１９の画面サイズに対するバックライト装置２の小型化を計る事が出来るが、これに限定されることなく、給電側リード線３２・・を反射材２６・・に配線しても良い。
【００２２】
而して、上記リード線３０，３２の配線に際しては、ランプ支持台１３に蛍光ランプ２４・・をセットしたものに、底ケース４の内側に反射板２３をセットして両セットを組み合わせた後、リフレクタ２５，２５をその配線溝３１・・内にグランド側のリード線３０・・を収納しながら底ケース４にネジ２９止めする。その後は上記ランプ支持台１３にシート支持台１４を載置した後、底ケース４の開口部５に光拡散板６等を載置し、次いで長辺側センターシャーシ９と短辺側センターシャーシ１１を予め組み合わせて上記光拡散板６等に被せた後、底ケース４や支持台１３，１４に固定し、かつセンターシャーシ９，１１の各上片９ａ，１１ａに液晶パネル１９を載置して、その前面に外枠２０・・を被せてネジ２１・・止めする。
【００２３】
尚、上記実施例では、蛍光ランプ２４・・の両端に予めリード線３０・・，３２・・をはんだ接続し、かつこれらリード線のコネクタ３６・・を接続したセット部品を用いているが、これに限定されることなく、蛍光ランプにリード線を着脱自在に接続する構成としても良い。又、上記実施例における組み立て順序についてはこれに限定されるものではなく、作業工程等を考慮して適宜設定すれば良い。
【００２４】
図６及び図７は上記反射材２６の他の実施例を示すもので、図６は内部全体を中空にして配線溝３１を形成したもので、反射材を軽量かつ安価に構成出来るものである。図７は内部中心部にネジ孔２８を形成した仕切部３７を一体形成して、底部左右に一対の配線溝３１，３１を形成したもので、グランド側のリード線３０，３０を確実に分離して位置決めし、リード線３０，３０の接近による高周波ノイズの影響等を極力防止する事が出来るものであり、高周波ノイズを更に防止する場合には、シールド材を仕切部３７内に一体に埋設したり、反射材２６を構成する樹脂材にシールド用の金属粉末等を混入しても良い。
【００２５】
【発明の効果】
本発明の構成により、反射板底面の蛍光ランプ間の背面に配設した反射材の内部に配線溝を形成し、この配線溝に蛍光ランプのリード線を配線することで、蛍光ランプの近接位置に配線することができ、配線時の作業性を向上したり、配線スペースの削減による小型化等を計る事が出来るものである。
【００２６】
又本発明の構成により、反射材の１本間隔にグランド側のリード線を２本づつ配線することで、反射材へのリード線の配線作業を簡素化できると共に、給電側のリード線の配線長さを短くすることができ、これにより、電圧降下や漏れ電流の発生による蛍光ランプの点灯不良等を防止する事も出来るものである。
【００２７】
更に本発明の構成により、反射材の内部略中心部に固定用のネジ孔を形成した仕切壁を一体形成し、この仕切壁により配線溝を左右に２分割したことで、仕切壁が配線時のガイドと成り、リード線の配線溝内への配線作業を効率的に行う事が出来るものである。
【図面の簡単な説明】
【図１】本発明を用いた液晶表示装置の実施例を示す分解斜視図である。
【図２】図１の液晶表示装置を組み立てた状態のＡ−Ａ断面図である。
【図３】同じくＢ−Ｂ断面図である。
【図４】図１中のＣ−Ｃ断面図である。
【図５】本発明の要部の一部分解破断斜視図である。
【図６】本発明による反射材の他の実施例を示す側面縦断面図である。
【図７】同じく更に他の実施例を示す側面縦断面図である。
【符号の説明】
２２　　ランプ室
２３　　反射板
２４　　蛍光ランプ
２６　　反射材
２６ａ　反射材
２８　　ネジ孔
２９　　ネジ
３０　　リード線
３１　　配線溝
３２　　リード線
３７　　仕切壁
【図１】
2004039533.tif 000003
【図２】
2004039533.tif 000004
【図３】
2004039533.tif 000005
【図４】
2004039533.tif 000006
【図５】
2004039533.tif 000007
【図６】
2004039533.tif 000008
【図７】
2004039533.tif 000009